(57)【要約】【課題】  部分的に再生専用のデータ領域を有するとともに、複数の記録層の各位置における再生信号特性に優れた光記録媒体を提供する。【解決手段】  記録、再生用のレーザ光を照射される側に有する第一基板１１、有機色素からなる第一記録層２１、第一反射層、透光性の中間層、有機色素からなる第二記録層２２、第二反射層および第二基板１２が順次積層され、第一記録層２１は、記録されている情報を再生する第一再生専用領域２１Ａと、情報を記録および再生することができる第一記録可能領域２１Ｂとを有し、第二記録層２２は、記録されている情報を再生する第二再生専用領域２２Ａと、情報を記録および再生することができる第二記録可能領域２２Ｂとを有し、第一再生専用領域２１Ａと第二再生専用領域２２Ａとは、第一基板１１側又は第二基板１２側から見たときに互いに重複しない光記録媒体１により、上記課題を解決する。【選択図】  図１
2005196891.tif 000002
【特許請求の範囲】
【請求項１】
記録用、再生用または記録再生用のレーザ光を照射される側に有する第一基板と他の第二基板との間に、情報が記録される記録層を二層以上有する光記録媒体であって、
二層以上の前記記録層は、記録されている情報を再生する再生専用領域と、情報を記録および再生することができる記録可能領域とを有し、
二以上の前記再生専用領域は、前記第一基板側または前記第二基板側から見たときに互いに重複しないことを特徴とする光記録媒体。
【請求項２】
前記第一基板、第一記録層、第一反射層、透光性の中間層、第二記録層、第二反射層および前記第二基板が順次積層され、
前記第一記録層は、記録されている情報を再生する第一再生専用領域と、情報を記録および再生することができる第一記録可能領域とを有し、
前記第二記録層は、記録されている情報を再生する第二再生専用領域と、情報を記録および再生することができる第二記録可能領域とを有し、
前記第一再生専用領域と前記第二再生専用領域とは、前記第一基板側または前記第二基板側から見たときに互いに重複しないことを特徴とする請求項１に記載の光記録媒体。
【請求項３】
前記第一再生専用領域は、光記録媒体の内周側に配置され、前記第二再生専用領域は、光記録媒体の外周側に配置されることを特徴とする請求項２に記載の光記録媒体。
【請求項４】
前記第一再生専用領域は、光記録媒体の外周側に配置され、前記第二再生専用領域は、光記録媒体の内周側に配置されることを特徴とする請求項２に記載の光記録媒体。
【発明の詳細な説明】
【技術分野】
【０００１】
本願は、光記録媒体に関し、具体的には、多層構造を有する光記録媒体に関する。
【背景技術】
【０００２】
従来より、各種情報を記録し、再生する記録媒体として、ＤＶＤ（digital versatile disc）等の光記録媒体が知られている。この光記録媒体として、一方の面側から情報が記録される層を一層有するシングルレイヤタイプの光記録媒体と、一方の面側から情報が記録される層を二層有するデュアルレイヤタイプの光記録媒体とが知られている。
【０００３】
この各光記録媒体のうち、デュアルレイヤタイプの光記録媒体は、情報が記録される層（以下、単に記録層という。）を二層有するため、高密度に大容量の情報を記録し、再生することができる。また、このデュアルレイヤタイプの光記録媒体は、一方の面側から二層の記録層に記録できるため、光記録媒体の記録・再生装置において、光記録媒体が設置される各面側に光学ピックアップを設けて、当該光学ピックアップを切り替えることを要しない。さらに、デュアルレイヤタイプの光記録媒体は、記録・再生時に、光記録媒体を反転させることも要しない。そのため、デュアルレイヤタイプの光記録媒体は、いわゆるシームレス録画およびシームレス再生が可能となる。
【０００４】
このように、デュアルレイヤタイプの光記録媒体は、情報記録の機能に優れている、その記録・再生装置における構成が簡易である、シームレス録画・再生のために使用者はビデオ鑑賞等を中断されることがない、等の利点を有している。
【０００５】
このようなＤＶＤにおいては、使用者において記録可能としたもの、いわゆるＤＶＤ−Ｒ（ＤＶＤ−Recordable）、ＤＶＤ−ＲＡＭ（ＤＶＤ−Random-Access-Memory）、ＤＶＤ−ＲＷ（ＤＶＤ−Rewritable）等も既に開発されている。
【０００６】
このうち、ＤＶＤ−Ｒの基本的構成は、ディスクの表面の情報記録領域に光学ピックアップのトラッキング手段であるスパイラル状の溝からなるプリグルーブが形成され、その上にスピンコート法等の手段で有機色素等の記録媒体が塗布され、乾燥されて記録層が形成され、その上に金属膜からなる反射層が形成されてなるものである。
【０００７】
さらに、例えば、特許文献１等には、デュアルレイヤタイプのＤＶＤ−Ｒ型光記録媒体が開示されている。具体的には、第一基板のグルーブが形成された側に有機色素からなる第一記録層および半透過性の第一反射層を形成した第一ディスクと、第二基板のグルーブが形成された側に第二反射層および有機色素からなる第二記録層を形成した第二ディスクとを、第一反射層および第二記録層を対向させ、接着剤等を用いて貼り合わせた光記録媒体が開示されている。
【０００８】
このような光記録媒体は、第一基板側からレーザ光を照射して第一記録層および第二記録層に情報を記録するようになっている。
【０００９】
また、シングルレイヤタイプのＤＶＤにおいて、部分的に再生専用のデータ領域（ＲＯＭ（Read-Only-Memory）パート）を有するパーシャルＲＯＭとよばれるものが知られている。
【特許文献１】特開平１１−６６６２２号公報
【発明の開示】
【発明が解決しようとする課題】
【００１０】
上述のデュアルレイヤタイプの光記録媒体においても、使用者において記録可能なデータ領域（Ｒ（Recordable）パート）を有し、かつ、部分的に再生専用のデータ領域（ＲＯＭパート）を有する構成とすることが試みられている。
【００１１】
しかしながら、各記録層に再生専用のデータ領域を設けた場合、中間層厚を最適な値に設定しないと、各記録層間においてクロストークが発生し、再生信号の品質を劣化させる可能性がある。
【００１２】
一方、この場合において、クロストークが発生しないよう、中間層厚を最適な値に設定することを検討すると、ＲＯＭパート同士の積層に対する中間層厚の最適値と、ＲＯＭパート対Ｒパート、または、Ｒパート対Ｒパートの中間層厚の最適値とが異なることがある。そのため、中間層厚をＲＯＭパート同士の積層に対する最適値に設定して光記録媒体を作製すると、他のパートの組合せの位置においてクロストークが発生することとなり、再生信号の品質が劣化する可能性があるという問題がある。また、ＲＯＭパートおよびＲパートの各組合せにおいて必要な性能を満たす中間層厚が存在しない可能性があり、再生信号特性に優れたデュアルレイヤタイプのパーシャルＲＯＭが実現しない可能性がある。
【００１３】
そこで、本願は、部分的に再生専用のデータ領域を有するとともに、複数の記録層の各位置における再生信号特性に優れた光記録媒体を提供することを課題の一例とする。
【課題を解決するための手段】
【００１４】
上記の課題を解決するために、請求項１に記載の発明は、記録用、再生用または記録再生用のレーザ光を照射される側に有する第一基板と他の第二基板との間に、情報が記録される記録層を二層以上有する光記録媒体であって、二層以上の前記記録層は、記録されている情報を再生する再生専用領域と、情報を記録および再生することができる記録可能領域とを有し、二以上の前記再生専用領域は、前記第一基板側または前記第二基板側から見たときに互いに重複しないことを特徴とする光記録媒体である。
【発明を実施するための最良の形態】
【００１５】
以下に、図１および図２を参照して、本実施形態の光記録媒体について具体的に説明する。なお、図１は、本実施形態の光記録媒体の物理構造を示す概略図である。また、図２は、本実施形態のディスク面に対する垂直方向の切断面の一部を示す断面図である。なお、後述する図３は、他の実施形態の光記録媒体の物理構造を示す概略図である。
【００１６】
本実施形態の光記録媒体１は、図２に示すように、第一基板１１、第一記録層２１、第一反射層３１、透光性の中間層４、第二記録層２２、第二反射層３２、転写層５および第二基板１２が順次積層されている。そして、第一基板１１は、第一記録層２１側に第一グルーブＧ１のプリグルーブを有し、転写層５は、第二記録層２２側に第二グルーブＧ２のプリグルーブを有する。また、第一反射層３１と第二記録層２２とは、中間層４を介して貼り合わせられている。
【００１７】
そして、本実施形態の光記録媒体１は、図１に示すように、第一記録層２１は、記録されている情報を再生する第一再生専用領域２１Ａと、情報を記録および再生することができる第一記録可能領域２１Ｂとを有し、第二記録層２２は、記録されている情報を再生する第二再生専用領域２２Ａと、情報を記録および再生することができる第二記録可能領域２２Ｂとを有し、第一再生専用領域２１Ａと第二再生専用領域２２Ａとは、第一基板１１側または第二基板１２側から見たときに互いに重複しないように形成される。
【００１８】
なお、本実施形態の光記録媒体１は、図１および図２に示すように、第一基板１１側から記録用レーザ光または再生用レーザ光を照射して、記録または再生が行われる。
【００１９】
まず、本実施形態の光記録媒体１の基本的な構成について、説明する。
【００２０】
第一基板１１の材料は、ポリカーボネート樹脂、アクリル系樹脂、ポリオレフィン系樹脂等の透明樹脂が用いられる。このように、第一基板１１の材料は、記録用レーザ光および再生用レーザ光を透過させる性質を有するものが用いられる。
【００２１】
また、第一基板１１の厚さは、光記録媒体１の規格に従うが、通常、０．１−０．６ｍｍである。すなわち、光記録媒体１が赤色レーザ用のＤＶＤ−Ｒディスクである場合には、第一基板１１の厚さは０．６ｍｍであり、光記録媒体１が青色レーザ用ディスクである場合には、第一基板１１（記録再生レーザ光の透過層に該当する。）の厚さは０．１ｍｍまたは０．６ｍｍである。なお、第一基板１１は、円形で中心が空洞（クランプ孔）になった板状の形状のものが用いられる。
【００２２】
第一基板１１の第一記録層２１が形成される側には、記録可能領域用の第一グルーブＧ１のプリグルーブおよび再生専用領域用の記録される情報に応じたピット列のプリピットが形成されている。この第一グルーブＧ１およびピット列の形状については、再生専用領域および記録可能領域についての説明とともに後述する。なお、第一グルーブＧ１のプリグルーブは、円形の第一基板１１の中心Ｏを基準として、螺旋状または同心円状に形成されている。さらに、第一グルーブＧ１は、所定の周期で半径方向に蛇行するようにしてもよい。このようにグルーブが蛇行していることをウォブルグルーブともいう。さらにまた、各第一グルーブＧ１間に位置するランドには、プリピットが所定間隔で形成されている。
【００２３】
第一記録層２１の材料は、従来の光記録媒体の記録層に用いられている有機色素や相変化記録材料を用いればよく、光学的に記録可能であれば特に限定されない。有機色素としては、例えば、アゾ化合物の錯体、シアニン色素、フタロシアニン色素等が用いられ、後述する記録可能領域２１Ｂ、２２ＢがＲパートである場合に用いられる。また、相変化記録材料としては、レーザ光により結晶相とアモルファス層が変化する材料、例えば、Ｉｎ−Ａｇ−Ｔｅ−Ｓｂ系材料等が用いられ、後述する記録可能領域２１Ｂ、２２ＢがＲＷパートである場合に用いられる。なお、第一記録層２１および後述する第二記録層２２に、相変化記録材料を用いた場合の層構成は、図２に示す層構成とは異なるため、後述する。第一記録層２１の厚さは、特に限定されないが、通常、５０−１２０ｎｍである。
【００２４】
第一記録層２１は、各第一グルーブＧ１およびその間のランドに沿って、ほぼ同様の厚みで形成されてもよい。また、第一記録層２１は、図２に示すように、第一グルーブＧ１を埋め込むように形成され、第一反射層３１が設けられる側を平坦な面に形成してもよい。
【００２５】
第一反射層３１の材料は、金、アルミニウム、銀、銅等の金属や、これらの金属からなる合金が用いられる。また、第一反射層３１の厚さは、記録／再生用のレーザ光を反射させ、または、透過させることが可能な厚さとすれば特に限定されないが、通常、１０ｎｍ±２ｎｍ程度である。上述のように、第一記録層２１の第一反射層３１側が平坦な面として形成されている場合には、第一反射層３１は、第一基板１１側の面が第一基板１１の入光面に対して平行で平坦な面にできる。
【００２６】
透光性の中間層４の材料は、特に限定されず、従来公知の接着剤等を用いることができる。例えば、この材料としては、紫外線硬化性樹脂からなる接着剤を用いることが好ましい。また、中間層４の厚さについては、後述する。
【００２７】
第二記録層２２の材料および厚さは、光学的に記録可能であれば特に限定されず、上述した第一記録層２１の材料および厚さと同様の範囲のものが用いられる。
【００２８】
また、第二記録層２２は、上述の第一記録層２１と同様に、後述する各第二グルーブＧ２およびその間のランドに沿って、ほぼ同様の厚みで形成されてもよい。さらに、第二記録層２２は、図２に示すように、第二グルーブＧ２を埋め込むように形成され、中間層４が設けられる側を平坦な面に形成してもよい。
【００２９】
転写層５としては、任意の材料により形成することが可能であるが、第一基板１１と同等の熱的挙動を呈し、かつ、第一基板１１と同等の硬度を有することが好ましい。転写層５の第二記録層２２側には、第二グルーブＧ２のプリグルーブが形成されている。
【００３０】
転写層５の第二記録層２２が形成される側には、記録可能領域用の第二グルーブＧ２のプリグルーブおよび再生専用領域用の記録される情報に応じたピット列のプリピットが形成されている。この第二グルーブＧ２およびピット列の形状については、上述の第一グルーブＧ１およびピット列、再生専用領域および記録可能領域についての説明とともに後述する。
【００３１】
第二反射層３２の材料は、上述の第一反射層３１の材料と同様である。ただし、第二反射層３２の材料は、第一反射層３１のように光を反射する性質と透過する性質とを併せ持つ必要はなく、記録／再生用のレーザ光を全反射できればよい。
【００３２】
また、第二反射層３２の厚さは、記録／再生用のレーザ光を全反射できる範囲において適宜選択され、例えば、５０ｎｍ以上とする。上述のように、第二記録層２２の第二反射層３２側が平坦な面として形成されている場合には、第二反射層３２は、第一基板１１側の面が第一基板１１の入光面に対して平行で平坦な面にできる。これより、後述するように、第二反射層３２と第二基板１２との平坦な面同士を接着させることになるので、これらの層の貼り合わせも容易になる。
【００３３】
第二基板１２は、第一基板１１と同様の材料、厚さ、形状のものが用いられる。
【００３４】
なお、光記録媒体１は、図２に示される層構成に限定されず、第一基板１１、第一記録層２１、第一反射層３１、中間層４、第二記録層２２、第二反射層３２および第二基板１２の各層を有していれば、その他の各層を適宜設けることができる。
【００３５】
例えば、光記録媒体１には、図示しない保護層を設けることができる。この保護層は、光記録媒体１における中間層４と第二記録層２２との間に形成される。具体的には、保護層は、第二記録層２２に形成される。なお、この保護層は、第二記録層２２を保護し、また、光記録媒体１の光学的特性や熱的特性を調整するために設けられる。
【００３６】
保護層の材料は、特に限定されず、従来公知の材料が用いられるが、通常、ＺｎＳ−ＳｉＯ２、ＳｉＯ２、ＡｌＮ等が用いられる。また、保護層の厚さは、特に限定されず、通常、１−１０ｎｍ程度である。
【００３７】
また、図２における光記録媒体１においては、第一記録層２１の第一グルーブＧ１と第二記録層２２の第二グルーブＧ２とが、トラッキングする方向に対して直交する方向において、同期するような（すなわち、互いに重なり合うような）位置に設けられている。しかしながら、第一記録層２１の第一グルーブＧ１と第二記録層２２の第二グルーブＧ２との配置はこれに限定されず、この各グルーブの位置が位相差のある（すなわち、相互にずれた）位置としてもよい。
【００３８】
次に、本実施形態の光記録媒体１の特徴的な構成について、説明する。
【００３９】
具体的には、光記録媒体１の第一記録層２１および第二記録層２２と、この各記録層２１、２２が有する再生専用領域２１Ａ、２２Ａ、記録可能領域２１Ｂ、２２Ｂ、およびこれらのグルーブＧ１、Ｇ２およびピット列について説明する。
【００４０】
図１に示すように、第一記録層２１は、記録されている情報を再生する第一再生専用領域２１Ａと、情報を記録および再生することができる第一記録可能領域２１Ｂとを有しており、第二記録層２２は、記録されている情報を再生する第二再生専用領域２２Ａと、情報を記録および再生することができる第二記録可能領域２２Ｂとを有している。そして、本実施形態の光記録媒体１において、第一記録可能領域２１Ｂと第二記録可能領域２２Ｂとは、第一基板１１側または第二基板１２側から見たときに互いに重複していないことに特徴を有している。
【００４１】
本実施形態においては、図１に示すように、各記録層２１、２２において、第一再生専用領域２１Ａは、光記録媒体１の内周側に配置され、第二再生専用領域２２Ａは、光記録媒体１の外周側に配置されている場合について説明する。
【００４２】
具体的に、第一記録層２１の第一再生専用領域２１Ａは、いわゆるＲＯＭパートに該当し、記録される情報に応じて以下のようなピット列を有している。すなわち、図１に示すように、第一再生専用領域２１Ａは、光記録媒体１の中心Ｏを基準とした半径ｒが２２．６ｍｍ〜Ｘ１ｍｍの範囲に形成される。第一再生専用領域２１Ａのピットは、深さが１３０〜１４０ｎｍ程度よりも深く１４０〜２００ｎｍ程度、幅が３２０ｎｍ程度とし、トラックピッチが０．７４μｍとする。
【００４３】
上述のＸ１の値は、記録層としての役割を果たせる範囲内で適宜選択され、通常、２２．６＜Ｘ１＜５９の範囲内とする。
【００４４】
なお、上述のように、第一記録層２１の記録可能領域２１Ｂに記録可能となる有機色素を用いるため、通常のＲＯＭ用のピットの場合よりも変調度が下がるので、第一再生専用領域２１Ａにおけるピットの深さは、ＤＶＤ−ＲＯＭの深さの最適値である１３０〜１４０ｎｍ程度よりも深く形成する。
【００４５】
このとき、第一記録層２１の第一記録可能領域２１Ｂは、いわゆるＲパート、すなわち、一定の領域に対して一度の記録が可能であるパートに該当し、以下のようなグルーブＧ１を有している。具体的に、Ｒパートである第一記録可能領域２１Ｂは、上述の半径ｒがＸ１ｍｍ〜５９ｍｍの範囲に形成される。第一記録可能領域２１ＢのグルーブＧ１は、深さが１６０ｎｍ程度、幅が３２０ｎｍ程度とし、トラックピッチが０．７４μｍとする。このように、第一記録可能領域２１Ｂは、第一記録層２１において、第一再生専用領域２１Ａが設けられない位置に設けられることになる。
【００４６】
また、第一記録層２１の第一記録可能領域２１Ｂは、いわゆるＲＷ（Rewritable）パート、すなわち、一定の領域に対して複数回記録し直すことが可能であるパートとすることもでき、以下のようなグルーブＧ１を有している。具体的に、ＲＷパートである第一記録可能領域２１Ｂは、上述の半径ｒがＸ１ｍｍ〜５９ｍｍの範囲に形成される。第一記録可能領域２１ＢのグルーブＧ１は、深さが４０ｎｍ程度、幅が２４０ｎｍ程度とし、トラックピッチが０．７４μｍとする。
【００４７】
一方、第二記録層２２の第二再生専用領域２２Ａは、いわゆるＲＯＭパートに該当し、以下のようなピット列を有している。すなわち、第二再生専用領域２２Ａは、上述の半径ｒがＸ２ｍｍ〜５９ｍｍの範囲に形成される。第二再生専用領域２２Ａのプリピットは、深さが１３０〜１４０ｎｍ程度よりも深く１４０〜２００ｎｍ程度、幅が３２０ｎｍ程度とし、トラックピッチが０．７４μｍとする。
【００４８】
なお、Ｘ２の値は、上述のＸ１の値と同様に、記録層としての役割を果たせる範囲内で適宜選択され、通常、２２．６＜Ｘ２＜５９の範囲内とする。さらに、Ｘ２の値は、第一再生専用領域２１Ａと第二再生専用領域２２Ａが重複しないよう、Ｘ１よりも大きく、Ｘ２＞Ｘ１となるように設定する。
【００４９】
このとき、第二記録層２２の第二記録可能領域２２Ｂは、いわゆるＲパートに該当し、以下のようなグルーブＧ２を有している。すなわち、Ｒパートである第二記録可能領域２２Ｂは、上述の半径ｒが２２．６ｍｍ〜Ｘ２ｍｍの範囲に形成される。この第二記録可能領域２２ＢのグルーブＧ２は、深さが２２０ｎｍ程度、幅が３２０ｎｍ程度とし、トラックピッチが０．７４μｍとする。
【００５０】
また、第二記録可能領域２２Ｂは、いわゆるＲＷパートとすることもでき、以下のようなグルーブＧ２を有している。すなわち、ＲＷパートである第二記録可能領域２１Ｂは、上述の半径ｒが２２．６ｍｍ〜Ｘ２ｍｍの範囲に形成される。この第二記録可能領域２２ＢのグルーブＧ２は、深さが４０ｎｍ程度、幅が２４０ｎｍ程度とし、トラックピッチが０．７４μｍとする。
【００５１】
また、Ｘ１およびＸ２の値は、二つの再生専用領域２１Ａ、２２Ａに予め記録されるデータの量等に応じて、任意に設定することができる。
【００５２】
なお、光記録媒体１の第一記録層２１および第二記録層２２の半径ｒ≦２２．６ｍｍの範囲は、図１に示すように、クランプ孔およびデータが記録されない未記録領域となる。
【００５３】
また、第一再生専用領域２１Ａの内周側または第二記録可能領域２２Ｂの内周側の少なくともいずれかには、通常、リードイン領域を設ける。このリードイン領域には、例えば、データの記録再生を管理するための情報、すなわち、光記録媒体１の識別情報、レーザ光によって照射される光記録媒体１の面が第一記録層２１であることを示す基板情報、第一再生専用領域２１Ａ、第一記録可能領域２１Ｂ、第二再生専用領域２２Ａおよび第二記録可能領域２２Ｂの各領域を特定するためのアドレスに関するアドレス管理情報、記録されたコンテンツデータの著作権保護に関する管理情報等が記録されている。
【００５４】
さらに、第一記録可能領域２１Ｂの外周側または第二再生専用領域２２Ａの外周側の少なくともいずれかには、通常、リードアウト領域を設ける。リードアウト領域には、例えば、情報記録終了または情報再生終了のための種々の情報が記録されている。
【００５５】
このとき、中間層４の層厚は、各記録層２１、２２の再生専用領域２１Ａ、２２Ａおよび記録可能領域２１Ｂ、２２Ｂにおける再生信号特性を考慮して適切に設定し、４０〜７０μｍ程度とする。
【００５６】
なお、図３に示す他の実施形態の光記録媒体１００のように、以上説明した各記録層２１、２２の態様とは逆に、第一再生専用領域２１Ａは、光記録媒体１００の外周側に配置され、第二再生専用領域２２Ａは、光記録媒体１００の内周側に配置されてもよい。この場合の各領域の設けられる範囲（半径ｒの範囲）は上述の再生専用領域と記録可能領域との間で逆転する。また、この場合の各再生専用領域２１Ａ、２２Ａが有する各ピット列の深さ、幅およびトラックピッチは、上述の各再生専用領域２１Ａ、２２Ａと同様とし、各記録可能領域２１Ｂ、２２Ｂが有するグルーブＧ１、Ｇ２の深さ、幅およびトラックピッチは、上述の記録可能領域２１Ｂ、２２Ｂと同様とする。
【００５７】
また、上述の光記録媒体１においては、少なくとも第一再生専用領域２１Ａと第二再生専用領域２２Ａとが、第一基板１１側または第二基板１２側から見て重複していなければよいため、第一記録可能領域２１Ｂと第二記録可能領域２２Ｂとが、第一基板１１側または第二基板１２側から見て重複していてもよい。図２に示す構成は、グルーブＧ１およびグルーブＧ２が重複しており、正確には、第一記録可能領域２１Ｂと第二記録可能領域２２Ｂとが、第一基板１１側または第二基板１２側から見て重複した構成である。また、具体的な層構成は図示しないが、光記録媒体の層構成は、第一記録層２１に設けられたグルーブＧ１と第二記録層２２に設けられたピット列が重複した構成と、第一記録層２１に設けられたピット列と第二記録層２２に設けられたグルーブＧ２が重複した構成とすることができる。
【００５８】
以上説明した光記録媒体１には、第一基板１１側から記録用レーザ光もしくは記録再生用レーザ光が照射され、第一記録層２１における第一記録可能領域２１Ｂの第一グルーブＧ１とそのランド、および、第二記録層２２における第二記録可能領域２２Ｂの第二グルーブＧ２とそのランドにピットが形成される。そして、同じく第一基板１１側から再生用レーザ光もしくは記録再生用レーザ光が照射され、第一記録層２１における第一再生専用領域２１Ａと第一記録可能領域２１Ｂおよび、第二記録層２２における第二再生専用領域２２Ａと第二記録可能領域２２Ｂに形成されたピット情報を読み出すものである。
【００５９】
また、光記録媒体１の各記録層２１、２２における記録可能領域２１Ｂ、２２Ｂとしては、上述のように、いわゆるＤＶＤ−Ｒディスク、ＤＶＤ−ＲＷディスク等の記録・再生が可能なディスクの部分が用いられ、記録の消去や書き替えの可否は特に限定されず、記録媒体としても上記したような有機色素に限定されることなく、その形式に応じた各種記録媒体を用いることが可能である。
【００６０】
さらに、本願の光記録媒体は、第一基板および第二基板の間に、情報が記録される記録層を二層以上有するようにし、このうち少なくとも二層以上の記録層は、記録されている情報を再生する再生専用領域と、情報を記録および再生することができる記録可能領域とを有し、これらの二以上の再生専用領域は、第一基板側または第二基板側から見たときに互いに重複しない構成とすればよく、上述の記録層が二層の構造ものに限定されない。そして、光記録媒体が記録層を三層以上有するときには、そのうちの二層以上が再生専用領域と記録可能領域とを有していればよく、記録可能領域のみからなる記録層を有した構成でもよい。
【００６１】
次に、本実施形態の光記録媒体１の製造方法について説明する。
【００６２】
本実施形態の光記録媒体１は、上述の構成となっていれば、その製造方法は限定されないが、例えば、以下に説明する方法により製造することができる。
【００６３】
光記録媒体１は、第一基板１１の片面に形成された第一グルーブＧ１およびピット列形成面上に、記録媒体としての有機色素または相変化記録材料を積層して当該グルーブおよびピット列に追従した形状を呈する第一記録層２１を形成し、次いで、第一記録層２１の上部に半透過性の第一反射層３１を積層し、その一方で、これとは別に、第二基板１２の片面に第二反射層３２を積層し、次いで、第二反射層３２に、第二グルーブＧ２およびピット列が形成された転写層５を形成し、この転写層５の第二グルーブＧ２が形成された面に、記録媒体としての有機色素または相変化記録材料を積層して当該グルーブおよびピット列に追従した形状を呈する第二記録層２２を形成し、そして、第一反射層３１と、第二記録層２２とを向かい合わせ、中間層４を介して第一基板１１および第二基板１２を貼り合わせることにより製造される。
【００６４】
各工程を詳細に説明すると以下の通りである。
【００６５】
まず、スタンパを用いた樹脂の射出成形により、一方の面に第一記録可能領域２１Ｂに対応する第一グルーブＧ１と第一再生専用領域２１Ａに対応するピット列が形成された上述の材料および厚さからなる第一基板１１を形成する。
【００６６】
次いで、第一基板１１の第一グルーブＧ１およびピット列の形成面に、上述の材料および厚さからなる第一記録層２１を形成する。
【００６７】
この第一記録層２１の形成方法は、特に限定されないが、材料に有機色素を用いた場合には、通常、スピンコート法等が用いられる。具体的には、第一記録層２１がスピンコート法により形成される場合には、上述の第一記録層２１の材料を溶媒に溶解、分散させて塗工液とし、第一基板１１上にこの塗工液をスピンコートする。
【００６８】
なお、第一記録層２１の材料として上述のアゾ化合物の錯体を用いる場合には、上述の塗工液の溶媒として、テトラフルオロプロパノールまたはオクタフルオロペンタノール等が用いられる。また、第一記録層２１の材料として上述のシアニン色素を用いる場合には、上述の塗工液の溶媒として、エチルセルソルブまたはジメチルシクロヘキサン等が用いられる。
【００６９】
一方、第一記録層２１の形成方法は、材料に相変化記録材料を用いた場合には、通常、スパッタリング法等の方法が用いられる。
【００７０】
次いで、第一記録層２１上に、上述の材料および厚さからなる第一反射層３１を形成する。この第一反射層３１の形成方法は、特に限定されないが、通常、スパッタリング法、蒸着法等が用いられる。
【００７１】
このようにして、光記録媒体１の第一のディスクを作製する。
【００７２】
一方、上述の材料および厚さからなる第二基板１２における一方の面に、上述の材料および厚さからなる第二反射層３２を形成する。この第二反射層３２の形成方法は、上述の第一反射層３１の形成方法と同様である。
【００７３】
次いで、第二反射層３２上に、上述の材料および厚さからなり、第二記録可能領域２２Ｂに対応する第二グルーブＧ２と第二再生専用領域２２Ａに対応するピット列が形成された転写層５を形成する。この転写層５の形成方法は、特に限定されないが、例えば、材料となる紫外線硬化樹脂をスピンコートし、所定のグルーブパターンおよびピットパターンを有するスタンパを押し当てて、当該スタンパを介して紫外線を照射することにより形成することができる。
【００７４】
次いで、転写層５の第二グルーブＧ２およびピット列が形成された面に、上述の材料および厚さからなる第二記録層２２を形成する。この第二記録層２２の形成方法は、上述の第一記録層２１の形成方法と同様である。
【００７５】
このようにして、光記録媒体１の第二のディスクを作製する。
【００７６】
最後に、第一のディスクにおける第一反射層３１と、第二のディスクにおける第二記録層２２とを中間層４を介して貼り合わせる。この中間層４は、クロストークを防止し、良好な再生信号特性が得られるよう、上述の範囲の厚さを有するように形成する。
【００７７】
このようにして、本願にかかる光記録媒体１が製造される。
【００７８】
ここで、他の実施形態として、第一記録層２１および第二記録層２２に有機色素を用いた光記録媒体の他の層構成について、説明する。この光記録媒体は、図２に示す構造とは異なり、第一記録層用のピットおよびグルーブが形成された第一基板１１上に、第一記録層２１、第一反射層３１、透光性の中間層４に相当する、第二記録層用のピットおよびグルーブが形成された透光性の転写層、第二記録層２２、第二反射層３２および第二基板１２が順次積層された構造とすることができる。
【００７９】
また、更に他の実施形態として、第一記録層２１および第二記録層２２に相変化記録材料を用いた光記録媒体の層構成について、説明する。この光記録媒体は、図２に示す構造とは異なり、以下の二通りの構造とすることができる。
【００８０】
この光記録媒体は、第一記録層用のピットおよびグルーブが形成された第一基板１１上に、第一記録層２１、第一反射層３１、透光性の中間層４に相当する、第二記録層用のピットおよびグルーブが形成された透光性の転写層、第二記録層２２、第二反射層３２および第二基板１２が順次積層された構造とすることができる。また、この光記録媒体は、第一記録層用のピットおよびグルーブが形成された第一基板１１上に、第一記録層２１、第一反射層３１が順次積層された第一ディスクと、第一基板１１とは凹凸の関係が逆になるように第二記録層用のピットおよびグルーブが形成された第二基板１２上に、第二反射層３２および第二記録層２２が順次積層された第二ディスクと、を第一反射層３１と第二記録層２２とを対向させて、透光性の中間層４により貼り合わせた構造とすることができる。
【００８１】
以上説明したように、本実施形態の光記録媒体は、記録用、再生用または記録再生用のレーザ光を照射される側に有する第一基板と他の第二基板との間に、情報が記録される記録層２１、２２を二層以上有する光記録媒体１であって、二層以上の前記記録層２１、２２は、記録されている情報を再生する再生専用領域２１Ａ、２２Ａと、情報を記録および再生することができる記録可能領域２１Ｂ、２２Ｂとを有し、二以上の前記再生専用領域２１Ａ、２２Ａは、前記第一基板１１側または前記第二基板１２側から見たときに互いに重複しないことを特徴とする。
【００８２】
よって、二層以上の記録層を有し、パーシャルＲＯＭとなる光記録媒体を提供することができる。また、複数の各再生専用領域がいずれかの基板側から見て重複していないので、これらの領域間におけるクロストークが発生せず、光記録媒体の各再生専用領域、いわゆるＲＯＭパートにおける再生信号の劣化を防止することができる。
【００８３】
具体的に、本実施形態の光記録媒体１は、第一基板１１、第一記録層２１、第一反射層３１、透光性の中間層４、第二記録層２２、第二反射層３２および第二基板１２が順次積層され、第一記録層２１は、記録されている情報を再生する第一再生専用領域２１Ａと、情報を記録および再生することができる第一記録可能領域２１Ｂとを有し、第二記録層２２は、記録されている情報を再生する第二再生専用領域２２Ａと、情報を記録および再生することができる第二記録可能領域２２Ｂとを有し、第一再生専用領域２１Ａと第二再生専用領域２２Ａとは、第一基板１１側または第二基板１２側から見たときに互いに重複しないことを特徴とする。
【００８４】
よって、デュアルレイヤタイプであり、パーシャルＲＯＭとなる光記録媒体１を提供することができる。また、第一再生専用領域２１Ａと第二再生専用領域２２Ａとが重複していないので、これらの領域間におけるクロストークが発生せず、光記録媒体１全体として適切な中間層４の層厚を設定しやすくなる。そのため、光記録媒体１の再生専用領域２１Ａ、２２Ａ、いわゆるＲＯＭパートにおける再生信号の劣化を防止することができる。
【００８５】
また、上述の本実施形態の光記録媒体１は、図１にその物理構造の概略図を示すように、第一再生専用領域２１Ａは、光記録媒体１の内周側に配置され、第二再生専用領域２２Ａは、光記録媒体１の外周側に配置されることを特徴とする。
【００８６】
一方、他の実施形態の光記録媒体１００は、図３にその物理構造の概略図を示すように、第一再生専用領域２１Ａは、光記録媒体１００の外周側に配置され、第二再生専用領域２２Ａは、光記録媒体１００の内周側に配置されることを特徴とする。
【００８７】
以上の各実施形態の光記録媒体１および１００により、第一再生専用領域２１Ａおよび第二再生専用領域２２Ａの具体的な位置が特定され、かつ、第一再生専用領域２１Ａと第二再生専用領域２２Ａとが重複していないので、これらの領域２１Ａ、２２Ａ間におけるクロストークが発生せず、光記録媒体１全体として適切な中間層４の層厚を設定しやすくなる。そのため、光記録媒体１の再生専用領域２１Ａ、２２Ａ、いわゆるＲＯＭパートにおける再生信号の劣化を防止することができる。
【図面の簡単な説明】
【００８８】
【図１】本願における実施形態の光記録媒体の物理構造を示す概略図である。
【図２】本願における実施形態の光記録媒体の一部を示すディスク面方向に垂直な断面図である。
【図３】本願における他の実施形態の光記録媒体の物理構造を示す概略図である。
【符号の説明】
【００８９】
１、１００    光記録媒体
１１  第一基板
１２  第二基板
２１  第一記録層
２１Ａ  第一再生専用領域
２１Ｂ  第一記録可能領域
２２  第二記録層
２２Ａ  第二再生専用領域
２２Ｂ  第二記録可能領域
３１  第一反射層
３２  第二反射層
４    中間層
５    転写層
【図１】
2005196891.tif 000003
【図２】
2005196891.tif 000004
【図３】
2005196891.tif 000005